(57)【要約】 【課題】                    顔面から首元までの凸部や人体の凸部等の３Ｄ領域に対応して貼り付けられる            シート体を提供する。【解決手段】                                  前記凸部に対応する前記シート体の前記領域に、錐体形状若しくは断面が円弧形状の打ち抜き部を有する治具による打ち抜き又は治具による断面が円弧形状若しくは多角形状の打ち込みを複数個行うことで繊維と繊維の絡みを解す手法で、前記凸部に対応する前記シート体の面積がスムーズに延びて広がるので前記凸部を容易に覆うことができる。【選択図】    図１
2014090846.tif 000002
【特許請求の範囲】
【請求項１】
人体の凸部に対応して貼り付けることができるシート体であって、前記凸部に対応する前記シート体の少なくとも一つの領域には、錐体形状若しくは断面が円弧形状の打ち抜き部を有する治具による打ち抜き又は治具による断面が円弧形状若しくは多角形状の打ちこみが複数個行われているシート体。
【請求項２】
請求項１に記載のシート体を備えるパック用シートであって、前記シート体の、前記左右両頬部に設ける又は前記左右下顎両辺部に設けるつまみ用突出部を内側からつまみ部の目印の直前で終端する切り込み線で少なくとも２つに分割して、左右双方の輪郭線上の目印を千切り、左右双方の上部の分割したつまみ部を内側から外側方向に引っ張りながら矯正して貼り付けつけることができるものであり、左右双方の下部の分割部したつまみ部を上部に引き上げリフトアップして貼り付けることができる又は左右双方の分割したつまみ部の一部を係止しながらつまんで矯正して引っ張り貼り付けることができるパック用シート。
【請求項３】
請求項１に記載のシート体を備えるパック用シートであって、顔の鼻筋方向を縦の方向に対応させる前記シート体に縦の方向やハ字状に走る複数列のミシン目状の切り込み線又は横方向に伸びて複数条に設けるミシン目状の切り込み線を設けるパック用シート。
【請求項４】
平面体の両眼に対応する両眼を覆うための、目尻からと目頭からの切り込み線で双方が対向して切り残し部を設け、又は上部につまむことができるつまみ用の突出部を形成し前記上部に互いの切り欠き線を対向させる蓋状となるフラップを設ける請求項２又は請求項３に記載のパック用シート。
【請求項５】
請求項１に記載するシート体の製法であって、人体の凸部に対応する前記シート体の少なくとも一つの前記領域に、錐体形状若しくは断面が円弧形状の打ち抜き部を有する治具による打ち抜き又は治具による断面が円弧形状若しくは多角形状の打ち込みを複数個行う工程を備えるシート体の製法。
【請求項６】
前記工程を実施する時に、ドライ状態での加工の他に水、オイル、紛体、及び美容液の含浸やシート体には美容効果が得られる原料の少なくとも一つを、前記シート体及び前記治具の少なくとも一方に加える請求項５に記載のシート体の製法。
【発明の詳細な説明】
【技術分野】
【０００１】
本発明は、顔面から首元部までの領域や人体の一部の少なくとも一つの凸部に対応して覆い貼り付けることができるシート体であって、前記少なくとも一つの凸部に対応する前記シート体の領域には、錐体形状や断面が円弧形状の打ち抜き部を有する治具による打ち抜き又は治具による円弧形状や多角形形状の打ちこみを複数個設けるシート体に関する。
【０００２】
前記シート体は、例えば、不織布シート又は不織布シートにゲルを塗布したシート又はゲル状シート又はバイオセルロースシート又は薬事の原料を含ませた薬事シート（以下これらをシート体と略称する）であり、更には前記シート体と、前記シート体の片面または両面に樹脂フィルムや不織布等とを備えて構成するシートを用いることができる。なお、前記フィルムは、前記シート体との組み合わせにより美容や医療の相乗効果が得られる特徴、曲げると反発力が生じる特徴、撥水性を有する特徴など（以下これらをフィルムと略称する）を有していることが望ましい。
【０００３】
前記顔面から首元までの領域や人体の凸部とは、例えば、鼻部又は額部又は左右双方の目尻部又は左右双方の頬部又は口部周囲又は顎部又は喉部又は首部又は肘、膝等の３Ｄなる部位である。
【０００４】
本願の、前記凸部に対応する前記シート体の前記領域には、錐体形状や断面が円弧形状の打ち抜き部を有する打ち抜き又は治具による円弧形状や多角形形状の打ちこみを複数個設ける手法（以下これらを加工の手法と略称する）は、例えば、既に実施がなされている、従来のフェイスマスクの平面体に設けられている、目の視認用貫通孔や鼻の鼻呼吸用貫通孔や口部の孔部や用法とする指圧位置表示部等の円弧形状或いは凹や凸を連続させる溝ではなく、更に円弧形状の切り欠き線や切り込み線や輪郭線や輪郭部のそれぞれの形状に用いられているものと異なるものである。
【背景技術】
【０００５】
従来品には、顔面から凡そ首元部までの領域の全体または分割して覆い貼り付けるものである。例えば、特開２０１１−１３６０７３の文献には目や鼻や口部の開口部の好ましい形状として円弧のスリットを用いたパック用シートもある。
【０００６】
前記従来品には、美容液の含浸やシート体には美容効果が得られる原料（以下これらを薬剤と略称する）を含ませて形成している。
【０００７】
本願の手法とは異なる、本願発明の出願人が既に出願しているパック用シートは、平面体のシート体にミシン目なる小穴の切り込みを細長く凡そは等間隔に連続させる線状を複数列設ける手法の、縦方向やハ字状に走るミシン目状の切り込み線を複数列設けて又は縦方向に伸びて横方向に並ぶ或いは横方向に延びて複数条に並ぶミシン目状の切り込み線をそれぞれ複数列設けることで、前記凸部に対応する前記シート体は個々の凸部の状況に対応しながら延び広がって、顔面の凸部なる鼻部や左右両頬部や顎部や首元部に至る立体の領域を覆っている（例えば、特許文献１〜４参照）。しかしながら、平面体に設ける切り込み線や切り欠き線や輪郭線（以下これらを両線と略称する）を設ける領域の、例えば、前記ミシン目状の切り込み線を両線の近くに複数列設けると、張り付けている際に使用者の貼り付けながら引っ張る力によって、両線の近くの領域が予想にない延び広がりでパック用シートの品質にばらつきが生じる。
【０００８】
平面体には、両眼や口に対抗する部分には切り欠き孔や鼻部に対向する部分には切り欠き線を設けて、刃型で打ち抜くことによって形成されている。
【先行技術文献】
【特許文献】
【０００９】
【特許文献１】特許第４３５２４１６号公報
【特許文献２】特許第４４９２９８０号公報
【特許文献３】特許第４７０５１９８号公報
【特許文献４】特許第４９９５９８１号公報
【発明の概要】
【発明が解決しようとする課題】
【００１０】
例えば、化粧向けシートについて、従来品の、顔面の凸部となる鼻部に対応するシート体の領域には、右の鼻翼の上部から前記右の鼻翼を経て中央部の鼻尖を通りもう一方の左の鼻翼に至り、続いて前記左の鼻翼の上部までを結ぶ線をＵ字形状の下端の線に合わせて、切り欠き線を形成して貼り付けるフェイスマスクがある。
【００１１】
前記フェイスマスクの前記鼻部に対応する平面体の領域に、Ｕ字状の切り欠き線を設けて貼り付けると、前記シート体が前記鼻部に対応する前記平面体の面積と、前記鼻部を覆うための前記鼻部の両側面の面積とに、前記平面体の面積が前記鼻部の両側面の面積に対して不足の差が生じて、前記鼻部の前記面積を覆うことの対応ができない。このため、前記鼻部に貼り付けると前記シート体に前記切り欠き線が隔てる左と右や上と下のシートの両片の間には前記面積の不足の差が要因となり、肌が露出するという現象が生じ、前記フェイスマスクが覆うお肌に化粧品や医薬部外品の効能効果に斑が生じてしまう。
【００１２】
前記効能効果は、薬事法の第２条第３項には「この法律で〜、又は皮膚若しくは毛髪を健やかに保つために、身体に塗擦、散布その他これらに類似する方法で使用される」が記述され、故に少なくとも斑なくして、均一に美容の効能効果が期するという目的に反することの無い、前記お肌を露出させずにして覆うことができる解決の手段が必要である。
【課題を解決するための手段】
【００１３】
本願は前記凸部に対応する前記シート体の領域の平面体に加工の手法を用いて前記課題を解決するものである。
【００１４】
前記凸部に対応する前記シート体に用いる加工の手法とは、例えば、繊維と繊維を絡み合わせて構成して前記シート体を形成する不織布シートの、前記凸部に対応する前記不織布シートの前記凸部の領域に、必要とする複数箇所に錐体形状の打ち抜き部を有する治具で打ちぬいて、シート体の繊維と繊維の絡みあいを無理に広げてずらし、或いは前記凸部に対応する前記不織布シートの表の面と裏面に対する断面が円弧形状の打ち抜き部を有する治具の打ち抜き加工時に表面と裏面に加える力の方向をずらして繊維と繊維の絡みあいをずらす加工方法である。また、錐体形状や断面が円弧形状の打ち抜き部を有する治具による打ち抜きの代わりに、治具による断面が円弧形状や多角形状の打ちこみを行ってもよい。
【００１５】
前記方法は、前記凸部に対応する前記領域の前記不織布シートの構成を部分的に壊す手法であるが、前記シート体に、前記加工の手法の強弱を施すうち抜きや打ち込み数の手法の技術を必要に応じて調整しながら、更に加えて、前記加工の手法の作業時には、作業が無理なく行える工夫を施すと良い。前記不織布シートがドライ状態での加工の他に、例えば、水、オイル、紛体、及び美容液の含浸やシート体には美容効果が得られる原料等の少なくとも一つを、前記加工の手法の補助剤（以下これらを補助剤と略称する）として用いて前記治具や前記シート体に前記補助剤を加えると、繊維と繊維の絡みの抵抗を少なくして、前記シート体への加工時における品質の保持や加工のスピード性を高めことができる。これらの手法を前記シート体に施すことにより、前記繊維と繊維との絡み合いを適度に解すことに繋がるものであって、前記シート体の前記領域の面積は前記凸部の個人の個々の状況に対応して延びて広がるものであり、前記加工の手法は前記凸部を容易に覆い貼り付けることができる機能を付加するものである。
【００１６】
前記加工の手法と前記加工の効果は、図２の、例えば、治具の上板符号１６と治具の下板符号１７の間に不織布シート符号１８を設け、前記治具の上板に取り付ける錐体は、前記錐体の先が打ち抜き方向に向かう前記治具の下板の、治具上板に前記治具の下板方向に取り付けた錐体の先がシート体を打ち抜いて前記治具の下板の前記錐体の先部が相似の形態の受け部符号２０に入り込む動作によるものが、前記繊維と繊維との絡み合いを適度に解すことに繋がって、前記シート体に３Ｄに対応できる機能が得られるものである。
【００１７】
加えて前記治具の上板と治具の下板は板状であるが、双方或いは一方がロール状の治具を用いてもよく、前記不織布シートが前記双方或いは一方がロール状の間に挟まれる加工法の加工の手法を用いられても問題はない。
【００１８】
更に、本願の覆うべき前記凸部の、例えば鼻部の領域とは、右の目の下瞼から鼻筋を経て対向するもう一方の左の下瞼を結び、続いて左の鼻翼までを結び、更に前記左の鼻翼から右方向の鼻尖を経て右の鼻翼までの形状に沿って結び又は直線で結び、更には前記右の鼻翼から前記右の目の下瞼を結ぶ凡そ台形の領域（以下これらを鼻部の領域と略称する）である。
【００１９】
本願鼻部とは、例えば、立体三角形と似たるものである。前記鼻部は、前記鼻部の領域の中に位置しており、顔面の凡そ左右対称である鼻筋の上方向から下の方向の先には個々の高さの位置に鼻尖を設け、前記鼻尖を中心に左右対称の位置には左右双方の鼻翼を有し、更には、前記鼻部の領域の、前記右の目の下瞼から鼻筋を経て対向するもう一方の左の下瞼を結ぶ線と前記鼻筋が交差する位置を鼻部の付け根とし、前記鼻部の付け根のから前記鼻筋の鼻尖方向や左右双方の鼻翼の方向に放射状に広がる凡そ立体三角形なるものである。
【００２０】
前記鼻部の凡そ立体三角形なる両側面をスムーズに覆うためには、個々によって両側面を覆うために必要な面積の多少の違いが生ずるが、前記鼻筋と交差する前記鼻部の付け根から放射の方向の前記鼻尖や前記左右双方の鼻翼に至るほど広い面積が必要である。このために、前記凡そ立体三角形に対応する前記シート体を徐々に延び広がらせるための領域には前記凸部に対応する加工の手法を施す。これにより、例えば、前記鼻部の付け根から徐々に多く設ける等の変化をもたせて組み合わせる等でシート体が徐々に延びて広がるものとすることができ、前記鼻部に対応するシート体の面積が誰もの大きさの状態に合せることができるので、故に延び広がって前記鼻部の立体三角形に対応して覆うことができるものである。
【００２１】
前記の鼻部や左右双方の両頬部、顎部、首筋、肩、肘、膝等の形状に伴って、凸部に対応する形状を考慮して加工の手法を用いるものであり、小鼻の溝やほうれい線の筋等の凹部にまたがり前記加工の手法が設けられても問題とするものでなく、本願発明の出願人が既に出願した縦方向やハ字状に走るミシン目状の切り込み線複数列又は横方向に延びて上下に複数条のミシン目状の切り込み線を設ける手法と併せても何ら問題ない。
【００２２】
前記顔面から首元までの領域や人体の凸部に対応する前記シート体の前記凸部に対応する領域内に前記加工の手法を用いて前記凸部領域に設ける形状や配列等は、シート体の面積が延び広がり前記凸部を覆い貼り付ける機能があれば任意である。
【００２３】
前記凸部に対応する前記シート体の領域に設ける加工の手法には、例えば、顔の鼻筋を縦の方向にシート体の引っ張る方向を鼻筋の方向に合わせる方法（以下これらを縦抜きと略称する）と前記シート体の引っ張る方向を前記鼻筋の方向に直角に合わせて打ち抜く方法（以下これらを直角抜きと略称する）が有り、いずれの方法を用いるかは製品のコンセプトに合せて任意である。
【発明の効果】
【００２４】
本発明品のパック用シートを提供することで、加工の手法を用いたことでパック用シートの品質にばらつきが生じない。
【００２５】
前記フェイスマスクの前記課題であるＵ字状の切り欠き線を設けて貼り付けると、肌が露出するということで効能効果の斑が生じたが、本願発明の加工の手法を用いることで、シート体が延びて広がるものであるから前記課題の解決に繋がるものであり、例えば、鼻部に対応するシート体の面積が誰もの大きさの状態に合せる貼り付けることができるので、化粧品や医薬部外品の斑の無い薬事の効果が得られる。
【図面の簡単な説明】
【００２６】
【図１】本発明品で加工の手法を設ける領域を示し、全願から顎裏までを覆う平面体に打ち抜かれた平面図
【図２】図１の凸部に対応する領域の不織布シートを、複数本の円錐形状の打ち抜き部を有する治具で打ち抜く状況の平面図
【発明を実施するための形態】
【００２７】
本発明を実施するための形態は、本願発明の一つである、例えば、化粧向けシートについて記述する。
【００２８】
例えば、不織布シートを用いる場合の本願発明は、パック用シートを構成するコットン不織布シートの目付６０（ｇ／ｍｍ２）を用いて示すが、不織布の目付が小さい〜１００（ｇ／ｍｍ２）を採用する際に留意することは、錐体形状や断面が円弧形状の打ち抜き部を有する治具による打ち抜き又は治具による断面が円弧形状や多角形形状の打ちこみを複数個設けてシートを引っ張ることで、目付が小さいと抜きの平面体が容易に崩れてクレームに繋がることや目付が大きくてシートが強くて延び広がらず訴求効果にバラツキが生じ期待できない場合は、複数個の錐体形状や断面が円弧形状の打ち抜き部を有する治具による打ち抜き又は治具による断面が円弧形状や多角形形状の打ちこみの変更が必要であることに留意し、又は設けることやシート組成や目付等の選択は必要に応じ任意とするものであり、これらは同時又は別々に刃型などによって打ち抜かれる。
【００２９】
続いて、実施するそれぞれのパック用シートの形態は４つのタイプの平面体に打ち抜かれるものであって、ほぼ顔を覆う額の上部から口下部分まで１８５ｍｍ左の頬部の縁から右の頬部の縁までは２１０ｍｍの形状であり、図１の額の上部から下顎裏部分まで２２０ｍｍ左の頬部の縁から右の頬部の縁までは２１０ｍｍの形状であり、額上部から下顎部を経由して喉部や首部を加えた凡そ２７０ｍｍ左の突端部の縁から右の突端部までは２２０ｍｍの形状であり、セパレーツ型は額の上部から首部の凡そ２７０ｍｍを顔上部分から顔下部分までを任意に分けて覆う形態である。
【００３０】
加えて、顔面から首元までの領域の、限定する部位へのパック用シートは、商品のコンセプトに応じて形態を規格するものである。
【００３１】
双方の、顔面を覆うそれぞれのパック用シートの平面体には、概ね、両眼に対応する箇所には長軸が顔面の横方向である切り欠き孔符号３又は両眼を覆うための目尻からと目頭付近からの切り欠き線で互いが交わる又は双方が対向して切り残し部を設ける蓋状となるフラップを設け、左右双方の目尻からこめかみ部の領域符号８には加工の手法を設け、加えて前記加工の手法を挟むまぶたの上部から外方向に延びる切り込み線及び／又はこめかみ部を挟む下端の内側から外方向に伸びる切り込み線を設け、且つ、左右双方のこめかみの外側縁部にはつまみ用の突出部を設け又は左右双方のつまみ用の突出部は互いを上下にずらして設け、鼻部に対応する箇所にはＵ字型の切り欠き線を設け又は左右の鼻翼を結ぶ切り欠き線を設け及び／又は鼻翼からもう一方の鼻翼に至る形状に対応して結ぶ切り欠き線を下端とし鼻部の領域符号６には加工の手法を設け、左右の鼻翼を結ぶ切り欠き線の中ほどには鼻尖に似たる形状符号５を設けるものである。
【００３２】
続いて、左右双方の両頬部の領域符号７には加工の手法を設け、前記左右双方の両頬部の外側の輪郭線上にはつまみ用の突出部を設け、前記つまみ用突出部を内側から前記つまみ部の目印の直前で終端する切り込み線で少なくとも２つに分割して、左右双方の輪郭線上の目印を千切り、左右双方の上部の分割部を内側から外側方向に引っ張りながら矯正して貼り付け、左右下部の分割部をつまんで上部に引き上げリフトアップして貼り付けることができ又は左右双方の分割したつまみ部の一部を係止しながら矯正して引っ張り貼り付けることができる。
【００３３】
加えて、口部に対応する箇所には長軸が顔面の横方向である切り欠き孔符号４又は複数の孔を設け、口部分や左右双方の口元の周囲の小皺やほうれい線に対応する領域には加工の手法を設け、これらの機能は各商品のコンセプトに応じて任意に設けるものである。
【００３４】
前記顔面を覆うそれぞれのパック用シートに下部を加える平面体は、左右双方の下顎両辺部にはリフティング用のつまむ突端部を設け、又は前記左右双方の下顎両辺部に設けるつまみ用突出部を内側から前記つまみ部の目印の直前で終端する切り込み線符号１１で少なくとも２つ符号１４と符号１５に分割して、左右双方の輪郭線上の目印符号１３を千切り、左右双方の上部の分割部符号１４を内側から外側方向に引っ張りながら矯正して貼り付け、左右下部の分割部符号１５をつまんで上部に引き上げリフトアップして貼り付けることができ又は左右双方の分割したつまみ部符号１４と符号１５の一部を係止しながらつまんで矯正して引っ張り貼り付けることができる。
【００３５】
続いて、前記左右双方の下顎両辺部から下顎裏を経て喉部分又は首元部分までの領域を覆う又は前記下顎両辺部から喉部分又は首元部分までの領域を翁形状に広く覆うことができる形態であり、更にはリフティングやフィットそして矯正する機能の付加には下顎部の領域符号９に加工の手法を設け、喉部又は首部の領域には加工の手法を設け、更には下顎左裏から喉部又は首元部の中央部を経て、左右双方の下顎両辺部から右喉部又は右首元部までの外周縁部を結ぶ直前に切り込み線先端が終端するＳ字状に似たる切り込み線を設け、前記Ｓ字状に似たる切り込み線で分けて設けられる互いのシート両片には加工の手法を設け、前記両シート片は和服を着こむ互いの襟を重ねるが如く貼り付けるものであり、例えば、前記Ｓ字状に似たる切り込みはパック用シートの表裏を変えて使用しても機能を問題としないものである。これら切り欠き線、切り欠き孔、切り込み線、加工の手法、これらの機能は各商品の用法や機能を設けるコンセプトに応じて任意に設けるものである。
【００３６】
これらパック用シートの平面体に設ける切り込み線符号１１は、直線以外に、波線又は曲線又は矩形線又はミシン目状の切り込み線等であってもよい。
【００３７】
更に、目印符号１３の形状は、楔形以外に、半円形状又はくぼみ形状等であってもよい。
【００３８】
本願発明と本願発明の出願人が既に出願した。発明とは、形態や技術を互い流用することで使用する方々に更なる効果があれば特に問題としない。
【００３９】
医療目的のシートの形態や技術も、美容目的のシートの前記顔から首元までの領域に貼り付ける形態や設ける加工の手法の技術に準ずるとよい。
【００４０】
平面体に設ける切り込み線や切り欠き線や輪郭線を設ける領域の近くに加工の手法を用いることで張り付けている際に使用者の貼り付けながら引っ張る力によって、両線の近くの領域が予想にない延び広がりによる問題点が解消されるものである。
【００４１】
前記シート体の具体例には、コットン不織布シートを用いて示すが、例えば、レーヨンやポリエステルフタレートやポリプロピレンやポリエチレンやコットンなどの繊維で構成する不織布シートまたはバイオセルロースシートまたはゲル状シートまたは薬事シート体または前記シート体の片面または両面に樹脂フィルムや不織布等を備えて構成するシートであってもよい。
【００４２】
前記シート体の、片面または両面に樹脂フィルムや不織布等を備えて構成するシート体を用いる場合は、前記凸部の形状に対応させることを考慮して加工の手法を用いるものであり、使用者の爪先の長い又は飾り具等でデコレートしている又は高齢者の方には、前記フィルムを前記シート体から剥がして使用することは前記シート体が軟性であるので貼り付ける一連の造作は大変であるので、本願発明の出願人が既に出願した特許第４９９５９８１号公報に記述の、前記シート体に備える前記フィルムの折り曲がりの角につまみ用切り込み線を設けることで、折り曲がりの部位に前記フィルムにはつまめる突出部を形成することができ、何れの顔面凸部に設けるとつまみ易くフィルムをゲル状シートから剥がし易いものであり、構成されるつまみ用突出部をつまんで前記シート体からフィルムを剥がして貼り付けることができるから一連の造作はスムーズであり、前記使用者の方々にも楽しく美容の作業を行っていただける。
【実施例】
【００４３】
本発明の実施例は、図１の顔全体の領域を貼り付けて、両手の指の腹部でなぞり、フィットさせて、左右双方のつまみ部を切り分けて設け、前記つまみ部の上部のつまみを引っ張りながら矯正して貼り付け、左右双方の下に設けられたつまみ部を上方向に引っ張りリフトアップしながら貼り付け、美容用法の所要の時間は凡そ１５分程度である。
【符号の説明】
【００４４】
１      本発明品の顔から顎裏の領域までを覆うパック用シートの平面図
２      本発明品のパック用シートの輪郭線
３      両眼に対応する切り欠き孔
４      口部に対応する横方向の切り欠き孔
５      鼻尖の異形の目印
６      加工の手法を設ける鼻部の領域
７      加工の手法を設ける左右双方の頬部の領域
８      加工の手法を設ける左右双方のこめかみ部の領域
９      加工の手法を設ける顎部の領域
１０    加工の手法を設ける額部の領域
１１    左右双方の頬部の切り込み線
１２    切り込み線先端と千切る目印との切り残し部
１３    切り込み線先端に対向する輪郭線を千切るための目印
１４    外方向に引っ張り、矯正して貼り付けるつまみ部
１５    上方向に引っ張り、リフトアップするつまみ部
１６    治具の上板
１７    治具の下板
１８    不織布シート
１９    治具に取り付けられた打ち抜くための錐体の形状或いはそれぞれ異なる錐体の形状
２０    治具上板の形状の異なる錐体の先がシート体を打ち抜いて入り込む受け部
２１    不織布シートを打ち抜く治具の動きの方向
【図１】
2014090846.tif 000003
【図２】
2014090846.tif 000004
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
人体の凸部に対応して貼り付けることができるシート体であって、前記凸部に対応する前記シート体の少なくとも一つの領域には、錐体形状若しくは断面が円弧形状の打ち抜き部を有する治具による打ち抜き又は治具による断面が円弧形状若しくは多角形状の打ちこみが複数個行われているシート体。
【請求項２】
請求項１に記載のシート体を備えるパック用シートであって、前記シート体の、前記左右両頬部に設ける又は前記左右下顎両辺部に設けるつまみ用突出部を内側からつまみ部の目印の直前で終端する切り込み線で少なくとも２つに分割して、左右双方の輪郭線上の目印を千切り、左右双方の上部の分割したつまみ部を内側から外側方向に引っ張りながら矯正して貼り付けつけることができるものであり、左右双方の下部の分割部したつまみ部を上部に引き上げリフトアップして貼り付けることができる又は左右双方の分割したつまみ部の一部を係止しながらつまんで矯正して引っ張り貼り付けることができるパック用シート。
【請求項３】
請求項１に記載のシート体を備えるパック用シートであって、顔の鼻筋方向を縦の方向に対応させる前記シート体に縦の方向やハ字状に走る複数列のミシン目状の切り込み線又は前記鼻筋の方向に直角に対応させる前記シート体に横方向に伸びて複数条に設けるミシン目状の切り込み線を設けるパック用シート。
【請求項４】
請求項１に記載のシート体を備えるパック用シートであって、鼻部に対応する箇所には、切り欠き線を下端とする、Ｕ字型の前記切り欠き線を設け又は左右の鼻翼を結ぶ前記切り欠き線を設ける請求項２又は請求項３に記載のパック用シート。
【請求項５】
左の鼻翼からもう一方の右の鼻翼に至る前記切り欠き線の形状は、前記左の鼻翼からもう一方の右の鼻翼に至る形状に対応しながら結んで設け、前記切り欠き線の中ほどには鼻尖に似たる形状を設ける請求項４に記載のパック用シート。
【請求項６】
平面体の両眼に対応する両眼を覆うための、目尻からと目頭からの切り込み線で双方が対向して切り残し部を設け、又は上部につまむことができるつまみ用の突出部を形成し前記上部に互いの切り欠き線を対向させる蓋状となるフラップを設ける請求項２から請求項５に記載のパック用シート。
【請求項７】
請求項１に記載するシート体の製法であって、人体の凸部に対応する前記シート体の少なくとも一つの前記領域に、錐体形状若しくは断面が円弧形状の打ち抜き部を有する治具による打ち抜き又は治具による断面が円弧形状若しくは多角形状の打ち込みを複数個行う工程を備えるシート体の製法。
【請求項８】
前記工程を実施する時に、ドライ状態での加工の他に水、オイル、紛体、及び美容液の含浸やシート体には美容効果が得られる原料の少なくとも一つを、前記シート体及び前記治具の少なくとも一方に加える請求項７に記載のシート体の製法。
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
人体の凸部に対応して貼り付けることができるシート体であって、前記凸部に対応する前記シート体の少なくとも一つの領域には、錐体形状の打ち抜き部を有する治具による打ち抜き又は断面が円弧形状若しくは多角形状の打ち込み部を有する治具による打ち込みが複数個行われており、
前記打ち抜き又は前記打ち込みが複数個行われた領域は、前記シート体を構成する繊維と繊維の絡み合いが解された状態で前記凸部を覆う領域であるシート体。
【請求項２】
請求項１に記載のシート体を備えるパック用シートであって、前記シート体の、前記左右両頬部に設ける又は前記左右下顎両辺部に設けるつまみ用突出部を内側からつまみ部の目印の直前で終端する切り込み線で少なくとも２つに分割して、左右双方の輪郭線上の目印を千切り、左右双方の上部の分割したつまみ部を内側から外側方向に引っ張りながら矯正して貼り付けつけることができるものであり、左右双方の下部の分割部したつまみ部を上部に引き上げリフトアップして貼り付けることができる又は左右双方の分割したつまみ部の一部を係止しながらつまんで矯正して引っ張り貼り付けることができるパック用シート。
【請求項３】
請求項１に記載のシート体を備えるパック用シートであって、顔の鼻筋方向を縦の方向に対応させる前記シート体に縦の方向やハ字状に走る複数列のミシン目状の切り込み線又は前記鼻筋の方向に直角に対応させる前記シート体に横方向に伸びて複数条に設けるミシン目状の切り込み線を設けるパック用シート。
【請求項４】
請求項１に記載のシート体を備えるパック用シートであって、鼻部に対応する箇所には、切り欠き線を下端とする、Ｕ字型の前記切り欠き線を設け又は左右の鼻翼を結ぶ前記切り欠き線を設ける請求項２又は請求項３に記載のパック用シート。
【請求項５】
左の鼻翼からもう一方の右の鼻翼に至る前記切り欠き線の形状は、前記左の鼻翼からもう一方の右の鼻翼に至る形状に対応しながら結んで設け、前記切り欠き線の中ほどには鼻尖に似たる形状を設ける請求項４に記載のパック用シート。
【請求項６】
平面体の両眼に対応する両眼を覆うための、目尻からと目頭からの切り込み線で双方が対向して切り残し部を設け、又は上部につまむことができるつまみ用の突出部を形成し前記上部に互いの切り欠き線を対向させる蓋状となるフラップを設ける請求項２から請求項５に記載のパック用シート。
【請求項７】
請求項１に記載するシート体の製法であって、人体の凸部に対応する前記シート体の少なくとも一つの前記領域に、錐体形状の打ち抜き部を有する治具による打ち抜き又は断面が円弧形状若しくは多角形状の打ち込み部を有する治具による打ち込みを複数個行う工程を備えるシート体の製法。
【請求項８】
前記工程を実施する時に、ドライ状態での加工の他に水、オイル、紛体、及び美容液の含浸やシート体には美容効果が得られる原料の少なくとも一つを、前記シート体及び前記治具の少なくとも一方に加える請求項７に記載のシート体の製法。